(57)【要約】  【課題】  使い勝手性の良いデジタル放送受信端末技術を提供する。  【解決手段】  受信したデジタルデータの再生動作を一時停止させたとき、該一時停止中にデジタルデータを継続受信し、該継続受信したデジタルデータを、データ量を減らした状態で記憶手段に保存し、該一時停止を解いて再生を再開させたときには、前記保存したデジタルデータをタイムシフト状態で再生させ、その後自動的にリアルタイムの再生に移行する。【選択図】  図１
2005244473.tif 000002
【特許請求の範囲】
【請求項１】
デジタル放送を受信可能なデジタル放送受信端末であって、
前記デジタル放送のデジタルデータを受信するアンテナと、
前記受信したデジタルデータを選局する選局手段と、
前記選局したデジタルデータを保存する記憶手段と、
前記選局したデジタルデータを再生する再生手段と、
前記選局手段、前記記憶手段、前記再生手段を制御する制御手段と、
を備え、前記制御手段は、前記受信したデジタルデータの再生動作を一時停止させたとき、該一時停止中にデジタルデータを継続受信し、該継続受信したデジタルデータを、データ量を減らして前記記憶手段に保存させ、該一時停止を解いて該再生を再開させたとき、前記保存したデジタルデータを読出し、前記再生手段によりタイムシフト状態で再生させるように制御する構成としたことを特徴とするデジタル放送受信端末。
【請求項２】
デジタル放送を受信可能なデジタル放送受信端末であって、
前記デジタル放送を受信する第１のアンテナと、
前記受信したデジタル放送信号を選局する選局手段と、
前記選局したデジタルデータを保存する記憶手段と、
電話信号またはメール信号を送受信する第２のアンテナと、
前記電話信号またはメール信号の交信のための処理を行う通信手段と、
前記選局したデジタルデータを復号し、該復号結果に基づく表示または出力を行うとともに、前記電話信号またはメール信号の交信のための表示または出力を行う再生手段と、
前記選局手段、前記記憶手段、前記通信手段及び前記再生手段を制御する制御手段と、
を備え、前記制御手段は、前記電話信号またはメール信号の交信のために前記デジタル放送の再生動作を一時停止させたとき、該一時停止中にデジタルデータを継続受信し、該継続受信したデジタルデータを、データ量を減らして前記記憶手段に保存させ、該一時停止を解いて該再生を再開させたとき、前記保存したデジタルデータを読出し、該デジタルデータを前記再生手段によりタイムシフト状態で再生させるように制御する構成としたことを特徴とするデジタル放送受信端末。
【請求項３】
前記制御手段は、前記一時停止中に継続受信するデジタルデータの映像データのフレームレートを減少させる手段、該映像サイズを縮小する手段または音声データをモノラル化する手段を備え、映像データのフレームレートの減少化、映像サイズの縮小化または音声データのモノラル化により、保存するためのデータ量を減らす構成である請求項１または請求項２に記載のデジタル放送受信端末。
【請求項４】
デジタル放送を受信可能なデジタル放送受信端末のデータ再生方法であって、
前記デジタル放送を受信する第１のステップと、
前記受信したデジタル放送信号を選局する第２のステップと、
前記選局したデジタルデータを保存するとともに、該選局したデジタルデータを復号し再生する第３のステップと、
前記再生を一時停止するとき、該一時停止中にデジタルデータを継続受信し、該継続受信したデジタルデータのデータ量を減らす処理を行う第４のステップと、
前記データ量を減らしたデジタルデータを保存する第５のステップと、
前記一時停止を解き再生を再開させたとき、前記保存したデジタルデータを読出し、該読み出したデジタルデータをタイムシフト状態で再生する第６のステップと、
を経て、デジタルデータの再生を行うことを特徴とするデジタル放送受信端末のデータ再生方法。
【請求項５】
前記第４のステップでは、前記一時停止中に継続受信するデジタルデータの映像データのフレームレートの減少化、映像サイズの縮小化、または音声データのモノラル化により、前記データ量を減らす請求項４に記載のデジタル放送受信端末のデータ再生方法。
【請求項６】
アナログ放送データを受信しデジタルデータとして再生するアナログ放送受信端末であって、
前記アナログ放送データを受信する第１のアンテナと、
前記受信したアナログ放送データを選局しデジタルデータに変換する選局手段と、
前記選局したデジタルデータを圧縮する圧縮手段と、
前記圧縮したデジタルデータを保存する記憶手段と、
電話信号またはメール信号を送受信する第２のアンテナと、
前記電話信号またはメール信号の交信のための処理を行う通信手段と、
前記圧縮したデジタルデータを復号し、該復号結果に基づく表示または出力を行うとともに、前記電話信号またはメール信号の交信のための表示または出力を行う再生手段と、
前記選局手段、前記記憶手段、前記通信手段及び前記再生手段を制御する制御手段と、
を備え、前記制御手段は、前記電話信号またはメール信号の交信のために前記アナログ放送データの再生動作を一時停止させたとき、該一時停止中にアナログ放送データを継続受信し、該継続受信したアナログデータから変換、圧縮により形成されるデジタルデータの一部を前記記憶手段に保存させ、該一時停止を解いて該再生を再開させたとき、前記保存したデジタルデータを読出し、該デジタルデータを前記再生手段によりタイムシフト状態で再生させるように制御する構成としたことを特徴とするアナログ放送受信端末。
【発明の詳細な説明】
【技術分野】
【０００１】
本発明は、放送受信端末におけるデータ再生技術に係り、特に、再生動作を一時停止した後再開する場合の技術に関する。
【背景技術】
【０００２】
デジタル放送システムは、放送局から圧縮音声映像デジタルデータを送信し、受信側で、受信した圧縮音声映像デジタルデータを復号して再生する放送システムである。例えば、特開２００３−２４４５９１号公報（特許文献１）、特開２００１−３２０６５７号公報（特許文献２）、特開２０００−３５０１３０号公報（特許文献３）には、デジタル放送受信装置において、受信したデジタル放送データをタイムシフトして再生する技術として、実際の放送時間での再生速度より速い速度で再生することで再生時間を短縮する時短タイムシフト再生の技術が記載されている。受信した放送データは過不足のないデータとして保存される。
【０００３】
【特許文献１】特開２００３−２４４５９１号公報
【０００４】
【特許文献２】特開２００１−３２０６５７号公報
【特許文献３】特開２０００−３５０１３０号公報
【発明の開示】
【発明が解決しようとする課題】
【０００５】
上記従来のデジタル放送受信端末では、例えば携帯用途において重要な、受信データの保存とそのための記憶容量の制限についての配慮がされていない。このため、再生を一時停止した場合、該一時停止中の全期間における受信データの保存を、所定の記憶容量内では行えない場合が発生する。
本発明の課題点は、上記従来技術の状況に鑑み、デジタル放送受信端末において、一時停止中の全期間における受信データの保存を所定の記憶容量内で可能にするとともに、該一時停止を解いて再生を再開させたときは、前記保存したデジタルデータをタイムシフト状態で再生できるようにすることである。
本発明の目的は、かかる課題点を解決し、使い勝手性の良いデジタル放送受信端末技術を提供することにある。
【課題を解決するための手段】
【０００６】
上記課題点を解決するために、本発明では、受信した放送データの再生動作を一時停止させたとき、該一時停止中に放送データを継続受信し、該継続受信した放送データを、デジタルデータとしてデータ量を減らした状態で記憶手段に保存し、該一時停止を解いて再生を再開させたときには、前記保存したデジタルデータをタイムシフト状態で再生させ、その後自動的にリアルタイムの再生に移行する。
【発明の効果】
【０００７】
本発明によれば、放送受信端末において、一時停止中の全期間における受信データを、該一時停止の解除後にタイムシフト状態で再生させることができ、端末の使い勝手性を向上させられる。
【発明を実施するための最良の形態】
【０００８】
以下、本発明を実施するための最良の形態につき、図面を用いて説明する。
図１〜図３は、本発明の第１の実施形態の説明図である。図１は、本発明の第１の実施形態としての放送受信端末の構成例図、図２は、図１の放送受信端末の動作手順の説明図、図３は、デジタルデータの保存の説明図である。放送受信端末としては携帯端末の場合を想定する。
【０００９】
図１において、１０１は、放送受信端末全体の制御を行うマイコン等の制御手段、１０２は、ユーザからの指示を受ける操作手段、１０３は、デジタル放送データ（デジタルデータ）を受信するための第１のアンテナ、１０４は、受信したデジタルデータを選局する選局手段、１０５は、制御手段１０１の動作プログラムや受信したデジタルデータ等を保存する記憶手段、１０６は、電話信号やメール信号などの無線通信信号を送受信するための第２のアンテナ、１０７は、電話信号やメール信号などの交信のための処理を行う通信手段、１０８は、圧縮された映像データを復号する映像復号手段、１０９は、映像復号手段１０８で復号された映像を表示する表示部、１１０は、圧縮された音声データを復号する音声復号手段、１１１は、音声復号手段１１０で復号された音声を出力する音声出力部、１１２は、上記各ブロックに電力を供給する電源部である。
【００１０】
第１のアンテナ１０３でデジタルデータを受信すると、選局手段１０４を介して制御手段１０１に取り込み、記憶手段１０５に一時保存する。一時保存されたデジタルデータは、制御手段１０１の制御で圧縮映像データと圧縮音声データに分離する。分離した圧縮映像データは、映像復号手段１０８にて復号し、表示部１０９に表示する。また、分離した圧縮音声データは、音声復号手段１１０にて復号し、音声出力部１１１から音声として出力する。
【００１１】
一方、第２のアンテナ１０６で電話信号やメール信号などの無線通信信号を受信すると、通信手段１０７を介して、デジタルデータとして制御手段１０１に取り込み、記憶手段１０５に一時保存する。制御手段１０１は、一時保存された該無線通信信号のデジタルデータを、メール等の文字データと通話等の音声データとに分離し、文字データは表示部１０９に表示し、音声データは音声出力部１１１から音声として出力する。
【００１２】
図２は、図１の放送受信端末の動作手順の説明図である。
図２において、
（１）操作手段１０２からのユーザの指示により、デジタル放送データ（デジタルデータ）の受信を開始する（ステップＳ２０１）。
（２）制御手段１０１は、受信したデジタル放送データ（圧縮されたデジタルデータ）を、記憶手段１０５に一時保存する（ステップＳ２０２）。
（３）制御手段１０１は、記憶手段１０５に一時保存された圧縮されたデジタルデータ（受信したデジタル放送）を、映像データと音声データとに分離し、分離後の映像データは、映像復号手段１０８により復号される（ステップＳ２０３）。
（４）復号された映像データは、表示部１０９に表示される（ステップＳ２０４）。
また、上記分離後の音声データは、音声復号手段１１０により復号され、音声出力部１１１から音声として出力される。
（５）制御手段１０１は、ポーズ（再生動作の一時停止）に関するユーザ指示の有無を判別する（ステップＳ２０５）。このとき、制御手段１０１は、操作手段１０２からユーザ指示を受けて判別する。該ポーズの指示は、例えば、第２のアンテナ１０６で電話信号やメール信号などの無線通信信号を受信したとき、ユーザが、電話通話やメール通信を行うために行う。該ポーズ指示は、ユーザの指示に従って行ってもよいが、電話信号やメール信号などの無線通信信号を受信したときに、ユーザの指示がなくともポーズ動作に移行してもよい。また、ポーズ動作への移行は、電話信号やメール信号などの無線通信信号を受信したとき以外にも、タイマー動作や電池残量が不足気味になったときの制御等によっても、ユーザのポーズ指示によらずに可能である。さらに、ポーズ動作への移行は、例えばユーザの生理的要因などに基づくユーザ指示によっても可能である。
【００１３】
（６）上記ステップＳ２０５における判別の結果、ユーザによるポーズ指示がない場合は、上記ステップＳ２０２〜ステップＳ２０４の動作を繰り返す。これは、ユーザがデジタル放送を視聴している時の状態である。
（７）上記ステップＳ２０５における判別の結果、ユーザによるポーズ指示があった場合は、制御手段１０１は、受信したデジタル放送データ（圧縮されたデジタルデータ）を、データ量を低減して記憶手段１０５に保存する（ステップＳ２０６）。制御手段１０１は、上記ポーズ（一時停止）中に継続受信するデジタルデータの映像データのフレームレートを減少させる手段、該映像データの一部を選択し画像の一部を切り出す手段または音声データをモノラル化する手段を備えており、該映像データのフレームレートの減少化、該映像データの一部の選択による画像の切り出しまたは該音声データをモノラル化により、データ量を減らす。
（８）制御手段１０１は、ポーズ解除（デジタルデータの再生再開）に関するユーザ指示の有無を判別する（ステップＳ２０７）。制御手段１０１は、操作手段１０２を介してユーザ指示を受ける。
（９）上記ステップＳ２０７における判別の結果、ユーザによるポーズ解除の指示がない場合は、制御手段１０１は、ポーズ状態が継続されていると判断し、引き続き、受信したデジタル放送データ（圧縮されたデジタルデータ）を記憶手段１０５にデータ量を低減して保存する（ステップＳ２０６）。
（１０）上記ステップＳ２０７における判別の結果、ユーザによるポーズ解除の指示があった場合は、制御手段１０１は、ポーズ状態が解除されたと判断し、受信したデジタル放送データ（圧縮されたデジタルデータ）を記憶手段１０５にデータ量を低減した状態で保存しつつ、既に記憶手段１０５に保存されている低減されたデジタルデータを再生する（ステップＳ２０８）。なお、ステップＳ２０８で、低減されたデジタルデータを再生する場合も、上記ステップＳ２０２〜ステップＳ２０５におけると同様な処理動作を行う。すなわち、データ量を低減されたデジタルデータを記憶手段１０５に一時保存し、制御手段１０１により、映像データと音声データに分離する。分離後の映像データは、映像復号手段１０８により復号され（ステップＳ２０３）、表示部１０９に表示される（ステップＳ２０４）。一方、分離後の音声データは、音声復号手段１１０により復号され、音声出力部１１１より音声として、出力される。ユーザからのポーズ指示がなければ、上記ステップＳ２０８における動作を継続するが、ユーザからポーズ指示があれば、上記ステップＳ２０６以降の処理に移行する。
【００１４】
（１１）制御手段１０１は、記憶手段１０５に保存されている低減されたデジタルデータ保存状況を検知し、該記憶手段１０５に保存されている該低減されたデジタルデータの再生が終了したかどうかを判別する（ステップＳ２０９）。
（１２）上記ステップＳ２０９における判別の結果、記憶手段１０５に保存されている低減されたデジタルデータの再生が終了していない場合は、制御手段１０１は、引き続き、受信したデジタル放送（圧縮されたデジタルデータ）を記憶手段１０５にデータ量を低減して保存させるとともに、既に記憶手段１０５に保存されている低減されたデジタルデータを再生する（ステップＳ２０８）。
（１３）上記ステップＳ２０９における判別の結果、記憶手段１０５に保存されている低減されたデジタルデータの再生が終了していう場合は、制御手段１０１は、ユーザがデジタル放送を視聴している通常の時の状態であるステップＳ２０２〜ステップＳ２０４における動作を繰り返す。
上記ステップＳ２０１〜ステップＳ２０９における動作のうち上記制御手段１０１による動作は、記憶手段１０５内に保存された動作プログラムが、該制御手段１０１内のコンピュータに、該動作に対応した手順を実行させることにより行われる。
【００１５】
図３は、記憶手段１０５におけるデジタルデータの保存の説明図である。本図３は、上記ステップＳ２０６及びステップＳ２０８での記憶手段１０５における低減されたデータの保存状況を示し、低減されたデータを保存する保存用ＦＩＦＯ（Ｆｉｒｓｔ  Ｉｎ  Ｆｉｒｓｔ  Ｏｕｔ）領域の保存状況を示している。
【００１６】
図３（ａ）は、上記ステップＳ２０５におけるポーズ指示があるまでの、低減されたデータを保存する保存用ＦＩＦＯ領域３０１の保存状態である。図では、ポーズ指示がないため、低減されたデータが保存されていない状態となっている。
【００１７】
図３（ｂ）は、上記ステップＳ２０５におけるポーズ指示があり、上記ステップＳ２０７における再開指示があるまでの、低減されたデータを保存する保存用ＦＩＦＯ領域３０１の保存状態である。図では、ポーズ指示があったため、低減されたデータが順次保存され、低減されたデータを保存する保存済み領域３０２が順次増加している状態となっている。
【００１８】
図３（ｃ）は、上記ステップＳ２０７における再開指示があり、ステップＳ２０９における保存されている低減されたデータの再生が終了するまでの、低減されたデータを保存する保存用ＦＩＦＯ領域３０１の保存状態である。図では、保存されている低減されたデータの再生が終了していないため、低減されたデータが順次保存されつつ、再生のために低減されたデータを保存する保存済み領域３０２から低減されたデータが順次読み出され、低減されたデータを保存する保存済み領域３０２が順次減少している状態となっている。
【００１９】
図３（ｄ）は、上記ステップＳ２０９における保存されている低減されたデータの再生が終了した場合の低減されたデータを保存する保存用ＦＩＦＯ領域３０１の保存状態であり、再生のために低減されたデータを保存する保存済み領域３０２から低減されたデータが全て読み出され、低減されたデータが保存されていない状態を示している。
【００２０】
表１は、デジタル放送における圧縮デジタルデータのパラメータ例を示す。該パラメータ例としては、ＭＰＥＧ（Ｍｏｖｉｎｇ  Ｐｉｃｔｕｒｅ  Ｅｘｐｅｒｔｓ  Ｇｒｏｕｐ）規格による圧縮映像データと圧縮音声データのパラメータを示す。
【００２１】
【表１】
2005244473.tif 000003
【００２２】
圧縮映像データは、フレームレートを１秒間に１５枚表示する１５ｆｐｓ、表示する画像サイズをＣＩＦ（Ｃｏｍｍｏｎ  Ｉｎｔｅｒｍｅｄｉａｔｅ  Ｆｏｒｍａｔ）サイズである３５２ドット×２８８ドット、受信する際の平均ビットレートを３８４ｋｂｐｓ（１秒間に３８４ｋビットのデータを受信）としている。また、圧縮音声データは、ステレオ音声データで、受信する際の平均ビットレートを９６ｋｂｐｓ（１秒間に９６ｋビットのデータを受信）としている。従って、圧縮映像データと圧縮音声データの合計の平均ビットレートは、４８０ｋｂｐｓ（１秒間に４８０ｋビットのデータを受信）としている。この場合、５分間のデータ量は、バイト換算して、圧縮映像データで１４．４Ｍバイト（３８４,０００×６０×５／８）、圧縮音声データで３．６Ｍバイト（９６,０００×６０×５／８）となり、圧縮映像データと圧縮音声データの合計は、５分間で、１８Ｍバイトとなる。一般的に、携帯端末では、筐体内に内蔵されている記憶手段の保存容量は、多くても２０Ｍバイト程度（４Ｍバイト以下の機種もある。）であり、記憶手段の保存容量２０Ｍバイト全てをデジタル放送の保存に用いたとしても、５分半程度しか保存できないので、実用上の制約となる。
【００２３】
表２は、本発明における、記憶手段に保存する低減デジタルデータのパラメータ例（第１のパラメータ例）を示す。
【００２４】
【表２】
2005244473.tif 000004
【００２５】
表２のパラメータ例では、保存する圧縮映像データは、フレームレートを１ｆｐｓ（１秒間に１枚表示する）に間引いて保存している。ＭＰＥＧ規格による圧縮映像データは、前後の予測を必要としないフレーム内符号化画面であるIピクチャ（Ｉｎｔｒａ  ｆｒａｍｅ）、過去の再生画像から予測（順方向予測）するフレーム間予測符号化画面であるＰピクチャ（Ｐｒｅｄｉｃｔｉｖｅ）等から構成されている。Iピクチャは、概ねＰピクチャ３倍のデータ量とされているので、Ｉピクチャの画面が１５枚に１枚（１秒間に１枚）で残りがＰピクチャだとすれば、Ｐピクチャのデータ量は、２．８２ｋバイト（(３８４／８)／１７）／枚、Ｉピクチャのデータ量は、８．４７ｋバイト（２.８k×３）／枚である。Ｉピクチャのみ保存（低減保存）すれば、保存する映像データのデータ量は、８．４ｋバイト／秒（８.４ｋ×８=６７.８ｋｂｐｓ）であり、５分間のデータ量は、２．５Ｍバイト（８.４７ｋ×６０×５）となる。圧縮音声データについては、表１と同じであるため、圧縮映像データと圧縮音声データの合計は、５分間で、６．１４Ｍバイトとなる。記憶手段の保存容量２０Ｍバイト全てをデジタル放送の保存に用いたとすれば、１６．３分程度となり、実用上の制約は少なくなる。
【００２６】
表３は、本発明における、保存する低減デジタルデータのパラメータ例（第２のパラメータ例）を示す。
【００２７】
【表３】
2005244473.tif 000005
【００２８】
表３のパラメータ例では、表２の圧縮映像データを間引いたパラメータに加えて、圧縮音声データを、９６ｋｂｐｓのステレオ（２チャンネル）から４８ｋｂｐｓのモノラル（１チャンネル）にデータを低減し、半減させている。その結果、５分間の圧縮音声データのデータ量は、１．８Ｍバイト（３.６ＭＢ/２）となり、圧縮映像データと圧縮音声データの合計は、５分間で、４．３Ｍバイトとなる。記憶手段の保存容量２０Ｍバイト全てをデジタル放送の保存に用いたとすれば、２３分程度となり、実用上の制約はほぼ解消されている。
【００２９】
表４は、本発明における、保存する低減デジタルデータのパラメータ例（第３のパラメータ例）を示す。
【００３０】
【表４】
2005244473.tif 000006
【００３１】
表４のパラメータ例では、表３の圧縮映像データを間引くことと、圧縮音声データをモノラル化したことに加えて、表示する画像サイズを、ＱＶＧＡ（Ｑｕａｒｔｅｒ  Ｖｉｄｅｏ  Ｇｒａｐｈｉｃｓ  Ａｒｒａｙ）サイズである３２０ドット×２４０ドットとしている。表示画面サイズがほぼ３／４となり、圧縮映像データが約２５％低減されている。その結果、５分間の圧縮映像データのデータ量は、１．９Ｍバイト（２.５ＭＢ×(３５２×２８８)/(３２０×２４０)）となり、圧縮映像データと圧縮音声データの合計は、５分間で、３．７Ｍバイトとなる。記憶手段の保存容量２０Ｍバイト全てをデジタル放送の保存に用いたとすれば、２７分程度となり、実用上の制約はほぼ解消されている。なお、表示画像（映像）サイズを縮小する手段としては、前述のような映像データの一部切り出し（＝映像データの一部の選択による画像の切り出し）の他、画素集約による平均化、映像データの再圧縮化、画素データの間引きなどがある。
【００３２】
再生時、映像データは、Ｉピクチャのみであるため、表示される映像は、動画ではなく、紙芝居的なパラパラした画面となり、再生時間は、実際に受信した放送時間より短く、短縮されて再生される。ユーザとしては、実際に放送された映像ではないが、ストーリとしては、理解することができる。また、再生される音声データは、その映像データの再生速度に合わせるため、時短再生を行う。
このような時短再生を行うことにより、低減された保存デジタルデータが時短再生のために実際の放送時間より短く再生され、実際のデジタル放送の再生時刻に、時短再生が追いついて、通常のデジタル放送受信再生に移行する。
【００３３】
データ量を低減する手法には、表２から表４にて説明したフレームレートの減少、音声データのモノラル化、画像サイズの縮小などがあるが、これら以外にも種々の方法があり、例えば、映像データのビットレートを下げて再圧縮して保存したり、音声のみ保存したりする等の手法がある。
【００３４】
上記第１の実施形態では、低減されたデータを保存する保存用ＦＩＦＯ（Ｆｉｒｓｔ  Ｉｎ  Ｆｉｒｓｔ  Ｏｕｔ）領域には、携帯端末内の半導体メモリ（２０Ｍバイト程度の記憶容量）である記憶手段１０５を想定しているが、この他、例えば、装着可能な可搬型１２８Ｍバイト程度のｍｉｎｉＳＤカード（ｍｉｎｉ  Ｓｅｃｕｒｅ  Ｄｉｇｉｔａｌ  ｍｅｍｏｒｙ  ｃａｒｄ）を利用することもできる。この場合、保存できる保存用ＦＩＦＯ（Ｆｉｒｓｔ  Ｉｎ  Ｆｉｒｓｔ  Ｏｕｔ）領域の記憶容量は、６．４倍程度に拡大されるため、低減したデジタルデータ保存するデジタル放送の放送時間の長さを拡大したり、低減するデジタルデータのビットレートの低減量を減らして、画質の向上（ＩピクチャのみならずＰピクチャも加える）や音質の向上に振り向けたりすることが可能となる。
【００３５】
上記本発明の第１の実施形態によれば、デジタル放送受信端末において、再生動作を一時停止させた場合にも、該一時停止中の全期間における受信データを、該一時停止の解除後にタイムシフト状態で再生させることができ、該受信端末の使い勝手性を向上させることができる。
【００３６】
図４は、本発明の第２の実施形態としての放送受信端末の構成例図である。本放送受信端末は、アナログ放送データを受信しデジタルデータとして再生するアナログ放送受信端末の場合である。図４において、図１と同じ構成要素には図１の場合と同じ符号を付す。
図４において、４０１は、アナログ放送データを受信するアンテナ（第１のアンテナ）、４０２は、受信したアナログ放送データを選局しデジタルデータに変換する選局手段、４０３は、選局したデジタルデータのうち映像データを圧縮する圧縮手段としての映像圧縮手段、４０４は、選局したデジタルデータのうち音声データを圧縮する圧縮手段としての音声圧縮手段である。選局手段４０２には、映像情報と音声情報に分離し、かつ、ＡＤ変換器が内蔵され、該分離したアナログ信号をデジタル信号（デジタルデータ）に変換する。
【００３７】
アンテナ４０１でアナログ放送データを受信すると、制御手段１０１の制御により、該アナログ放送データは、選局手段４０２内で、映像情報と音声情報に分離され、ＡＤ変換器によりそれぞれのデジタルデータに変換される。映像デジタルデータと音声デジタルデータは、制御手段１０１に取り込まれ、さらに記憶手段１０５に一時保存される。
一時保存された映像デジタルデータと音声デジタルデータは、制御手段１０１の制御により読み出されてそれぞれ圧縮される。すなわち、映像デジタルデータは映像圧縮手段４０３で圧縮され、圧縮結果が制御手段１０１に取り込まれ、記憶手段１０５に一時保存される。同様に、音声デジタルデータは、音声圧縮手段４０４で圧縮され、圧縮結果が制御手段１０１に取り込まれ、記憶手段１０５に一時保存される。
上記記憶手段１０５に一時保存された圧縮後のデジタルデータは、再生動作が一時停止され、その後再開される場合には、上記第１の実施形態の場合と同様に処理される。
【００３８】
上記本発明の第２の実施形態によれば、アナログ放送受信端末において、再生動作が一時停止された全期間における受信データを、該一時停止の解除後にタイムシフト状態で再生させることができる。このため、該受信端末の使い勝手性を向上させることができる。
【図面の簡単な説明】
【００３９】
【図１】本発明の第１の実施形態としての放送受信端末の構成例図である。
【図２】図１の端末の動作手順の説明図である。
【図３】デジタルデータの保存の説明図である。
【図４】本発明の第２の実施形態としての放送受信端末の構成例図である。
【符号の説明】
【００４０】
１０１…制御手段、
１０２…操作手段、
１０３、１０６、４０１…アンテナ、
１０４,４０２…選局手段、
１０５…記憶手段、
１０７…通信手段、
１０８…映像復号手段、
１０９…表示部、
１１０…音声復号手段、
１１１…音声出力部、
１１２…電源部、
４０３…映像圧縮手段、
４０４…音声圧縮手段。
【図１】
2005244473.tif 000007
【図２】
2005244473.tif 000008
【図３】
2005244473.tif 000009
【図４】
2005244473.tif 000010